(57)【要約】【課題】電解コンデンサの安全弁が動作して、電解コンデンサの内部から気化した電解液が放出された場合に対処する。【解決手段】電解コンデンサ２００は、寿命末期による温度上昇などにより、内部の電解液が気化した場合に、破裂を防ぐため、気化した電解液を放出する安全弁２０１を有する。吸収材３００は、電解コンデンサ２００の安全弁２０１から放出された電解液を吸収する。これにより、安全弁２０１から放出された電解液が外部に漏れないようにする。【選択図】図６
2009177001.tif 000002
【特許請求の範囲】
【請求項１】
電解液が気化した場合に、気化した電解液を放出する安全弁を有する電解コンデンサと、
上記電解コンデンサの安全弁から放出された電解液を吸収する吸収材と
を有することを特徴とする電気回路。
【請求項２】
上記吸収材は、絶縁物質であり、
上記電気回路は、
上記吸収材に接続した第一の電極と、
上記吸収材に接続し、上記吸収材が上記安全弁から放出された電解液を吸収した場合に、上記吸収材が吸収した電解液を介して上記第一の電極と電気接続する第二の電極と
を有することを特徴とする請求項１に記載の電気回路。
【請求項３】
上記電気回路は、
上記第一の電極と上記第二の電極とが電気接続した場合に、上記電気回路が入力する入力電流を遮断する電流遮断回路を有することを特徴とする請求項２に記載の電気回路。
【請求項４】
上記第一の電極は、上記電解コンデンサの一方の端子に電気接続し、
上記第二の電極は、上記電解コンデンサの他方の端子に電気接続し、
上記電流遮断回路は、上記入力電流が所定の電流より大きくなった場合に、上記入力電流を遮断することを特徴とする請求項３に記載の電気回路。
【請求項５】
上記吸収材は、上記電解コンデンサの周囲を覆い、上記安全弁から放出された電解液が外部に飛散するのを防ぐことを特徴とする請求項１乃至請求項４のいずれかに記載の電気回路。
【請求項６】
上記電気回路は、
上記電解コンデンサの周囲を覆い、開口部を有するケースを有し、
上記吸収材は、上記ケースの開口部を塞ぎ、上記安全弁から放出された電解液が外部に飛散するのを防ぐことを特徴とする請求項１乃至請求項４のいずれかに記載の電気回路。
【請求項７】
電解液が気化した場合に、気化した電解液を放出する安全弁を有する電解コンデンサと、
上記電解コンデンサの周囲を覆い、上記電解コンデンサの安全弁から放出された電解液が外部に飛散するのを防ぐケースとを有することを特徴とする電気回路。
【請求項８】
上記ケースは、導電物質であり、上記電解コンデンサの陰極端子に電気接続していることを特徴とする請求項７に記載の電気回路。
【請求項９】
請求項１乃至請求項８のいずれかに記載の電気回路を有し、
上記電気回路は、交流電圧を入力し、入力した交流電圧から放電灯に印加する交流電圧を生成することを特徴とする放電灯点灯装置。
【請求項１０】
請求項９に記載の放電灯点灯装置と、
上記放電灯を着脱自在に電気接続し、上記放電灯点灯装置が生成した交流電圧を上記放電灯に印加する放電灯接続部とを有することを特徴とする照明器具。
【発明の詳細な説明】
【技術分野】
【０００１】
この発明は、電解コンデンサを有する電気回路に関する。
【背景技術】
【０００２】
電解コンデンサは、温度上昇により内部の電解液が沸騰した場合に、破裂を防ぐため、安全弁（防爆弁）が開き、気化した電解液を外部に放出する。
【特許文献１】特開２００６−２３６６６６号公報
【発明の開示】
【発明が解決しようとする課題】
【０００３】
電解コンデンサの安全弁が開いて気化した電解液が外部に放出されると、放出された電解液が水蒸気として噴出する。電解液自体は人体に危険なものではないが、これを見た利用者が発煙もしくは発火と誤認する場合がある。
また、安全弁が開いて内部の電解液が放出された電解コンデンサは正常に動作しないので、電解コンデンサの安全弁が開いたことを検出し、回路の動作を停止する必要がある。
この発明は、例えば、上記のような課題を解決するためになされたものであり、電解コンデンサの安全弁が開いて電解液が放出された場合に、放出された電解液を外部に噴出させることなく対処することを目的とする。
【課題を解決するための手段】
【０００４】
この発明にかかる電気回路は、
電解液が気化した場合に、気化した電解液を放出する安全弁を有する電解コンデンサと、
上記電解コンデンサの安全弁から放出された電解液を吸収する吸収材とを有することを特徴とする。
【発明の効果】
【０００５】
この発明によれば、電解コンデンサの安全弁から電解液が放出された場合に、吸収材が電解液を吸収するので、電解液が外部に放出されず、利用者が発煙・発火と誤認するのを防ぐことができる。
【発明を実施するための最良の形態】
【０００６】
実施の形態１．
実施の形態１について、図１〜図７を用いて説明する。
【０００７】
図１は、この実施の形態における照明器具８００の外観を示す斜視図である。
照明器具８００は、放電灯ＬＡが着脱自在に電気接続され、照明器具８００の内部にある放電灯点灯装置が生成した交流電圧を、電気接続した放電灯ＬＡに印加し、放電灯ＬＡを点灯するランプソケット８０１（放電灯接続部）を有する。
【０００８】
図２は、この実施の形態における放電灯点灯装置８１０の機能ブロックの構成を示すブロック構成図である。
放電灯点灯装置８１０は、電流遮断回路８１１、整流回路８１２、直流電圧回路８１３、インバータ回路８１４、負荷回路８１５を有する。
【０００９】
電流遮断回路８１１は、商用電源などの交流電源ＡＣから放電灯点灯装置８１０へ入力される電流（以下「入力電流」と呼ぶ。）が所定の電流より大きくなった場合に、入力電流を遮断する。電流遮断回路８１１は、例えば、交流電源に直列に接続したヒューズを有し、過電流が流れるとヒューズが焼き切れることにより、入力電流を遮断する。
整流回路８１２は、交流電源ＡＣから低周波交流電圧（例えば、１００Ｖ〜２５４Ｖ。５０Ｈｚ〜６０Ｈｚ。）を入力し、入力した低周波交流電圧を整流して、脈流電圧を生成する。整流回路８１２は、例えば、ダイオードブリッジを有し、入力した低周波交流電圧を全波整流する。
直流電圧回路８１３は、整流回路８１２が整流した脈流電圧を入力し、直流電圧を生成する。直流電圧回路８１３は、例えば、昇圧チョッパ回路を有し、入力した脈流電圧から高電圧の直流電圧（例えば、４００Ｖ。）を生成する。
インバータ回路８１４は、直流電圧回路８１３が生成した直流電圧を入力し、高周波の矩形波交流電圧（例えば、５０ｋＨｚ〜８０ｋＨｚ）を生成する。インバータ回路８１４は、例えば、二つあるいは四つのスイッチング素子を有し、スイッチング素子を交互にオンオフすることにより、高周波の矩形波交流電圧を生成する。
負荷回路８１５は、ランプソケット８０１に電気接続された放電灯ＬＡとともに、インバータ回路８１４に対する負荷となる。負荷回路８１５は、例えば、放電灯ＬＡを流れる電流を抑制するためのチョークコイル、インバータ回路８１４が生成した高周波の矩形波交流電圧の直流成分をカットするための結合コンデンサ、始動時に放電灯ＬＡの両端に高電圧を発生させるための始動コンデンサを有する。
【００１０】
直流電圧回路８１３は、生成した直流電圧を充電しておき、安定させるため、大容量のコンデンサを有する。直流電圧回路８１３は、大容量のコンデンサとして、小型で安価な電解コンデンサを有する。
【００１１】
図３は、一般的な電解コンデンサの外観を示す斜視図である。
電解コンデンサ２００は、安全弁２０１、陽極端子２０２、陰極端子２０３を有し、内部に電解液を有する。電解液は、例えば、エチレンバリコール水溶液である。電解コンデンサ２００は、内部の電解液が蒸発しないようにするため、密閉されている。しかし、寿命末期などにより、電解コンデンサ２００の温度が上昇すると、電解液が気化し、電解コンデンサ２００内部の圧力が高くなる。これを放置すると電解コンデンサ２００が破裂する可能性があるため、電解コンデンサ２００内部の圧力が所定の値を超えると、安全弁２０１（防爆弁）が開き、気化した電解液を外部に放出する。
【００１２】
図４は、一般的なプリント配線板１１０を示す斜視図である。
放電灯点灯装置８１０の電気回路１００は、プリント配線板１１０に電解コンデンサ２００などの電子部品を実装することにより構成される。
プリント配線板１１０は、実装面１１１に、電解コンデンサ２００などのディスクリート部品を実装する。プリント配線板１１０は、実装面１１１の反対側の面（半田面）に、銅箔などの導体をエッチング処理するなどして配線が形成されている。プリント配線板１１０に設けられた貫通穴１１２に、電解コンデンサ２００などのディスクリート部品の陽極端子２０２・陰極端子２０３などの端子を挿入し、配線面に設けられた配線に半田付けなどにより固定することにより、電気回路１００が形成される。
【００１３】
図５は、この実施の形態における吸収材３００を示す斜視図である。
吸収材３００は、椀状であり、一方向に開口部３１１を有する。吸収材３００は、電解コンデンサ２００を覆うように、電解コンデンサ２００の上に被せられる。吸収材３００は、液体を吸収できる絶縁性物質であり、摂氏１００度程度の高温に耐えられる物質（例えば、脱脂綿、スポンジなど）で出来ている。吸収材３００は、例えば、接着剤や粘着剤などにより、プリント配線板１１０に固定される。
【００１４】
図６は、この実施の形態における電気回路１００の一部を示す破断斜視図である。
吸収材３００は、開口部３１１を電解コンデンサ２００に被せ、プリント配線板１１０との間に隙間ができないよう、電解コンデンサ２００の周囲を覆う。吸収材３００は、安全弁２０１が開くのを妨げないように配置する。吸収材３００が硬い物質である場合、安全弁２０１との間に隙間を設ける。吸収材３００が脱脂綿のような柔軟な物質である場合は、安全弁２０１との間に隙間を設けなくてもよい。
【００１５】
図７は、この実施の形態における電気回路１００において、電解コンデンサ２００の安全弁２０１が動作する様子を示す破断斜視図である。
電解コンデンサ２００の温度が上昇して電解液が気化すると、電解コンデンサ２００の内部の圧力が高くなり、安全弁２０１が開く。安全弁２０１が開くと、安全弁２０１から高温の水蒸気として、電解コンデンサ２００内部の電解液が放出される。放出された電解液は、吸収材３００が吸収するため、吸収材３００の外部には飛散しない。
したがって、電解液が白煙のように放電灯点灯装置８１０から放出されることがなく、利用者が発煙・発火と誤認するのを防ぐことができる。
【００１６】
なお、吸収材３００は、電解コンデンサ２００内部の電解液を完全に吸収できる量であることが好ましい。安全弁２０１から放出される電解液は、電解コンデンサ２００内部の電解液の一部であるが、仮にすべての電解液が放出されても、吸収材３００が吸収することができるからである。
また、吸収材３００のうち、安全弁２０１に正対する部分は、十分な厚さがあることが好ましい。安全弁２０１から勢いよく放出された電解液が、吸収材３００を透過して外部に漏れるのを防ぐためである。
【００１７】
この実施の形態における電気回路１００は、電解液が気化した場合に、気化した電解液を放出する安全弁２０１を有する電解コンデンサ２００と、上記電解コンデンサ２００の安全弁２０１から放出された電解液を吸収する吸収材３００とを有しているので、安全弁２０１から放出された電解液が電気回路１００の外部に放出されず、利用者（エンドユーザー）が発煙・発火と誤認するのを防ぐことができる。
【００１８】
この実施の形態における吸収材３００は、上記電解コンデンサ２００の周囲を覆い、上記安全弁２０１から放出された電解液が外部に飛散するのを防ぐので、安全弁２０１から放出された電解液が電気回路１００の外部に放出されず、利用者が発煙・発火と誤認するのを防ぐことができる。
【００１９】
この実施の形態における放電灯点灯装置８１０は、上記電気回路１００を有し、上記電気回路１００は、交流電圧を入力し、入力した交流電圧から放電灯に印加する交流電圧を生成するので、安全弁２０１から放出された電解液が放電灯点灯装置８１０の外部に放出されず、放電灯点灯装置８１０の利用者が発煙・発火と誤認するのを防ぐことができる。
【００２０】
この実装の形態における照明器具８００は、上記放電灯点灯装置８１０と、上記放電灯ＬＡを着脱自在に電気接続し、上記放電灯点灯装置８１０が生成した交流電圧を上記放電灯ＬＡに印加する放電灯接続部（ランプソケット８０１）とを有するので、安全弁２０１から放出された電解液が照明器具８００の外部に放出されず、照明器具８００の利用者が発煙・発火と誤認するのを防ぐことができる。
【００２１】
以上説明した放電灯装置（放電灯点灯装置８１０）は、商用電源（交流電源ＡＣ）を全波整流して得られる脈流電圧を電解コンデンサ２００により平滑して得られる直流電圧回路８１３を要する放電灯装置において、前記放電灯装置のプリント基板（プリント配線板１１０）に実装される電解コンデンサ２００の頭部近傍に水蒸気を吸収する吸収材３００を配置しているので、放電灯点灯装置８１０から電解液が水蒸気として噴出されず、発火及び発煙と誤認することがなく、利用者に混乱を招くのを防ぐことができる。
【００２２】
また、電解コンデンサ２００の実装形態が、基板（プリント配線板１１０）垂直方向に直立に配置されている場合において、水蒸気を吸収する吸収材３００の形状が前記電解コンデンサ２００に対して、頭部及び周囲を覆う構造であるので、電解コンデンサ２００の頭部にある安全弁２０１から放出される電解液を効率よく吸収することができる。
【００２３】
実施の形態２．
実施の形態２について、図８〜図１０を用いて説明する。
なお、実施の形態１と共通する部分については、同一の符号を付し、ここでは説明を省略する。
【００２４】
図８は、この実施の形態における電解コンデンサ２００をプリント配線板１１０に実装した様子を示す斜視図である。
この実施の形態では、図８に示すように電解コンデンサ２００を、横向きに倒した状態でプリント配線板１１０に実装する場合について説明する。
【００２５】
図９は、この実施の形態における吸収材３００を示す斜視図である。
吸収材３００は、実施の形態１で説明した吸収材３００を半分に切った形状であり、二方向に開口部３１１及び開口部３１２を有する。
【００２６】
図１０は、この実施の形態における電気回路１００の一部を示す破断斜視図である。
吸収材３００は、開口部３１１を電解コンデンサ２００に被せ、電解コンデンサ２００の安全弁２０１がある頭部を覆うように設置する。電解コンデンサ２００の陽極端子２０２・陰極端子２０３がある底部は、開口部３１２から外に出ていて、吸収材３００に覆われていない。
【００２７】
安全弁２０１から放出される電解液は、電解コンデンサ２００内部の圧力により、勢いよく安全弁２０１の前方へ放出される。安全弁２０１の前方に位置する吸収材３００が電解液を十分に吸収すれば、吸収材３００により覆われていない底部側から、電解液が外部に飛散するのを防ぐことができる。
【００２８】
なお、吸収材３００は、電解コンデンサ２００本体の側面を全部覆っていてもよいし、電解コンデンサ２００本体の半分程度を覆う形であってもよい。
また、電解コンデンサ２００を横向きに実装する場合であっても、実施の形態１と同様、吸収材３００が電解コンデンサ２００全体を完全に覆う形であってもよい。
【００２９】
以上説明した放電灯装置（放電灯点灯装置８１０）は、電解コンデンサ２００頭部がプリント基板（プリント配線板１１０）に対して、水平方向に配置されている場合において、水蒸気を吸収する吸収材３００の形状が前記電解コンデンサ２００頭部近傍の延長線上に配置され、電解コンデンサ２００の本体側面以上の長さで覆っているので、安全弁２０１から放出される電解液を効率良く吸収することができる。
【００３０】
実施の形態３．
実施の形態３について、図１１〜図１３を用いて説明する。
なお、実施の形態１と共通する部分については、同一の符号を付し、ここでは説明を省略する。
【００３１】
図１１は、この実施の形態における放電灯点灯装置８１０の内部を示す分解斜視図である。
なお、電解コンデンサ２００以外の電子部品は、省略している。
放電灯点灯装置８１０は、ケース８２０を有する。
プリント配線板１１０は、細長い板状である。
ケース８２０は、電解コンデンサ２００を実装したプリント配線板１１０を収納する。
ケース８２０は、左側面８２１、右側面８２２、底面８２３を有する。左側面８２１及び右側面８２２は、プリント配線板１１０の短手方向を覆い、底面８２３は、プリント配線板１１０の半田面を覆う。それ以外の三方向は、開口している。
【００３２】
図１２は、この実施の形態における吸収材３００を示す斜視図である。
吸収材３００は、Ｕ字状あるいはコ字状である。吸収材３００は、三方向に開口部３１１及び開口部３１２及び開口部３１３を有する。
【００３３】
図１３は、この実施の形態における放電灯点灯装置８１０を示す破断斜視図である。
吸収材３００は、電解コンデンサ２００を覆うよう配置する。吸収材３００は、開口部３１２及び開口部３１３がケース８２０の左側面８２１及び右側面８２２に面し、吸収材３００及びケース８２０及びプリント配線板１１０で、電解コンデンサ２００を覆う。
【００３４】
このように、ケース８２０の側面などを利用して、電解コンデンサ２００を覆う形とすれば、必ずしも吸収材３００が電解コンデンサ２００の周囲を全部覆う必要はない。
【００３５】
実施の形態４．
実施の形態４について、図１４〜図１５を用いて説明する。
なお、実施の形態１及び実施の形態３と共通する部分については、同一の符号を付し、ここでは説明を省略する。
【００３６】
図１４は、この実施の形態における放電灯点灯装置８１０の外観を示す斜視図である。
ケース８２０は、更に、上面８２４を有し、プリント配線板１１０の長手方向にあたる二方向が開口している。
【００３７】
図１５は、この実施の形態における放電灯点灯装置８１０の内部を示す破断斜視図である。
吸収材３００は、二つあり、ケース８２０の開口部を塞ぐ。
これにより、電解コンデンサ２００の安全弁２０１から放出された電解液が、ケース８２０の開口部から外部に飛散するのを防ぐ。
【００３８】
この実施の形態における電気回路１００は、上記電解コンデンサ２００の周囲を覆い、開口部を有するケース８２０を有し、上記吸収材３００は、上記ケース８２０の開口部を塞ぎ、上記安全弁２０１から放出された電解液が外部に飛散するのを防ぐので、安全弁２０１から放出された電解液がケース８２０の外部に放出されず、利用者が発煙・発火と誤認するのを防ぐことができる。
【００３９】
以上説明した放電灯装置（放電灯点灯装置８１０）は、ケース８２０長手方向が吸収材３００で密閉されるので、放電灯点灯装置８１０の外部に電解液が放出されない。
【００４０】
放電灯点灯装置８１０において、プリント配線板１１０の長手方向端部には、通常、交流電源ＡＣや放電灯ＬＡと接続した配線を接続する端子台が設けられているため、端子台の周辺に開口部がある。この実施の形態では、開口部を吸収材３００が塞ぎ、密閉するので、安全弁２０１から放出された電解液が放電灯点灯装置８１０の外部に放出されない。
【００４１】
屋外あるいは屋内で使用する放電灯点灯装置は、充電部（電解コンデンサ２００）及び鉄心部（コイル、トランスなど）を金属製の外郭（ケース８２０）の中に納めることが義務付けられている。そこで、ケース８２０の開口部を吸収材３００で密閉することにより、安全弁２０１から放出された電解液を放電灯点灯装置８１０の外部に放出しないようにすることができる。
【００４２】
実施の形態５．
実施の形態５について、図１６〜図１８を用いて説明する。
なお、実施の形態１と共通する部分については、同一の符号を付し、ここでは説明を省略する。
【００４３】
図１６は、この実施の形態におけるケース４００の外観を示す斜視図である。
ケース４００は、金属製あるいは樹脂製のコップ状であり、一方向に開口部４０１を有する。
開口部４０１の縁には、固定端子４１０がある。固定端子４１０は、プリント配線板１１０の貫通穴１１２に差し込んでケース４００を固定するための突起である。
なお、ケース４００が金属製の場合、固定端子４１０をプリント配線板１１０に半田付けすることにより固定してもよい。その場合、ケース４００の電位が電解コンデンサ２００の本体と同電位となるよう、固定端子４１０を電解コンデンサ２００の陰極端子２０３に電気接続する。
【００４４】
図１７は、この実施の形態における電気回路１００の一部を示す破断斜視図である。
ケース４００は、内部に吸収材３００を有し、電解コンデンサ２００に被せて使用する。また、ケース４００は、吸収材３００に接続した電極４３１・４３２を有する。電極４３１にはリード線４２１、電極４３２にはリード線４２２が電気接続している。
【００４５】
吸収材３００は、電解コンデンサ２００の安全弁２０１の正面に位置し、安全弁２０１から電解液が放出された場合に、電解液を吸収する。
吸収材３００には、一方の側に電極４３１（第一の電極）、電極４３１の反対側に電極４３２（第二の電極）が接続している。吸収材３００は、絶縁物質で構成し、吸収材３００が電解液を吸収していない状態では、電極４３１と電極４３２との間は絶縁している。また、吸収材３００が電解液を吸収すると、電極４３１と電極４３２との間は吸収材３００が吸収した電解液を介して導通する。このため、電極４３１・４３２にそれぞれ電気接続したリード線４２１・４２２の間が導通しているか否かを測定することにより、電解コンデンサ２００の安全弁２０１が動作して電解液が放出されたか否かがわかる。
【００４６】
なお、ケース４００が金属製である場合、電極４３１（あるいは電極４３２）をケース４００と電気接続し、リード線４２１（あるいはリード線４２２）はなくてもよい。
【００４７】
また、安全弁２０１が正常に動作するようにするため、安全弁２０１と、吸収材３００・電極４３１，４３２あるいはケース４００との間は、電解コンデンサ２００の製造者が推奨する距離（例えば、３ｍｍ）以上離す必要がある。
【００４８】
図１８は、この実施の形態における放電灯点灯装置８１０の回路構成の一部を示す電気回路図である。
電流遮断回路８１１は、ヒューズＦ１１を有する。
整流回路８１２は、ダイオードブリッジＤＢを有する。
直流電圧回路８１３は、電解コンデンサ２００を有する。
スイッチ８３０は、電極４３１，４３２及び吸収材３００の等価回路である。
【００４９】
この例において、リード線４２１は、電解コンデンサ２００の陽極端子２０２に電気接続し、リード線４２２は、電解コンデンサ２００の陰極端子２０３に電気接続している。したがって、スイッチ８３０は、電解コンデンサ２００と並列に電気接続している。
【００５０】
電解コンデンサ２００の安全弁２０１から電解液が放出されると、スイッチ８３０がオンになり（電極４３１と電極４３２との間が導通し）、電解コンデンサ２００を短絡する。すると、交流電源ＡＣ、ヒューズＦ１１、ダイオードブリッジＤＢ、スイッチ８３０からなる回路に大きな電流が流れ、放電灯点灯装置８１０の入力電流がヒューズＦ１１の定格電流より大きくなるので、ヒューズＦ１１が断線して、入力電流を遮断する。
【００５１】
これにより、電解コンデンサ２００が壊れたことを検出して、放電灯点灯装置８１０の動作を安全に停止することができる。
【００５２】
なお、この例では、スイッチ８３０を電解コンデンサ２００と並列に電気接続し、電解コンデンサ２００の故障時にヒューズＦ１１を断線させることで、放電灯点灯装置８１０の入力電流を遮断しているが、スイッチ８３０が導通しているか否かを測定する測定回路を設け、電流遮断回路８１１が、測定回路の測定結果に基づいて、入力電流を遮断する構成としてもよい。
【００５３】
この実施の形態における吸収材３００は、絶縁物質であり、上記電気回路１００は、更に、上記吸収材３００に接続した第一の電極４３１と、上記吸収材３００に接続し、上記吸収材３００が上記安全弁２０１から放出された電解液を吸収した場合に、上記吸収材３００が吸収した電解液を介して上記第一の電極４３１と電気接続する第二の電極４３２とを有するので、第一の電極４３１と第二の電極４３２との間が導通しているか否かにより、安全弁２０１から電解液が放出されたことを検出することができるという効果を奏する。
【００５４】
この実施の形態における電気回路１００は、更に、上記第一の電極４３１と上記第二の電極４３２とが電気接続した場合に、上記電気回路１００が入力する入力電流を遮断する電流遮断回路８１１を有するので、安全弁２０１から電解液が放出された場合に、電気回路１００の動作を安全に停止することができるという効果を奏する。
【００５５】
この実施の形態における第一の電極４３１は、上記電解コンデンサ２００の一方の端子（陽極端子２０２）に電気接続し、上記第二の電極４３２は、上記電解コンデンサ２００の他方の端子（陰極端子２０３）に電気接続し、上記電流遮断回路８１１は、上記入力電流が所定の電流より大きくなった場合に、上記入力電流を遮断するので、電解コンデンサ２００の故障を検出する回路や電流遮断回路８１１の構成が簡単であり、電気回路１００の部品数を削減でき、電気回路１００の小型化、低コスト化、低消費電力化を図ることができるという効果を奏する。
【００５６】
この実施の形態における電気回路１００は、電解液が気化した場合に、気化した電解液を放出する安全弁２０１を有する電解コンデンサ２００と、上記電解コンデンサ２００の周囲を覆い、上記電解コンデンサ２００の安全弁２０１から放出された電解液が外部に飛散するのを防ぐケース４００とを有するので、安全弁２０１から放出された電解液を、吸収材３００が吸収しきれない場合でも、電解液がケース４００の外部に放出されず、利用者が発煙・発火と誤認するのを防ぐことができる。
【００５７】
この実施の形態におけるケース４００は、導電物質（金属）であり、上記電解コンデンサ２００の陰極端子２０３に電気接続しているので、ケース４００と電解コンデンサ２００の外郭とが同電位となるという効果を奏する。したがって、ケース４００が電解コンデンサ２００の外郭に触れても安全である。
【００５８】
以上説明した放電灯装置（放電灯点灯装置８１０）は、商用電源（交流電源ＡＣ）を全波整流して得られる脈流電圧を電解コンデンサ２００により平滑して得られる直流電圧回路８１３を要する放電灯装置（放電灯点灯装置８１０）において、前記放電灯装置（放電灯点灯装置８１０）のプリント基板（プリント配線板１１０）に実装される電解コンデンサ２００の周囲を金属ケース４００により覆うので、電解液がケース４００の外部に放出されない。
【００５９】
また、電解液が放出された際、電解コンデンサ２００をショートして、ヒューズＦ１１を断線させるので、放電灯点灯装置８１０の動作を安全に停止させることができる。
【００６０】
なお、ここでは電解コンデンサ２００が直立した状態でプリント配線板１１０に実装されている場合について説明したが、電解コンデンサ２００は、横向きに実装されていてもよい。
【００６１】
実施の形態６．
実施の形態６について、図１９〜図２０を用いて説明する。
なお、実施の形態１及び実施の形態５と共通する部分については、同一の符号を付し、ここでは説明を省略する。
【００６２】
図１９は、この実施の形態におけるケース４００の外観を示す斜視図である。
ケース４００は、樹脂性あるいは金属製の円筒状であり、一方向に開口部４０１、開口部４０１と反対の方向に開口部４０２を有する。
開口部４０１の縁には、外向きに反った爪状突起４１５がある。爪状突起４１５は、プリント配線板１１０の貫通穴１１２に差し込んでケース４００を固定するための突起である。爪状突起４１５を貫通穴１１２に差し込むと、爪状突起４１５の外側に湾曲した先端がプリント配線板１１０に引っかかり、ケース４００がプリント配線板１１０に固定される。
【００６３】
図２０は、この実施の形態における電気回路１００の一部を示す破断斜視図である。
ケース４００は、内部に吸収材３００を有する。吸収材３００は、ケース４００の開口部４０２を塞ぎ、電解コンデンサ２００の安全弁２０１から放出された電解液が、開口部４０２から外部に漏れないようにしている。
【００６４】
このように、電解コンデンサ２００単体を覆うケース４００を設け、ケース４００の内部に吸収材３００を設けることにより、安全弁２０１から放出された電解液がケース４００の外部に放出されず、利用者が発煙・発火と誤認するのを防ぐことができる。
【００６５】
なお、ここでは電解コンデンサ２００が直立した状態でプリント配線板１１０に実装されている場合について説明したが、電解コンデンサ２００は、横向きに実装されていてもよい。
【図面の簡単な説明】
【００６６】
【図１】実施の形態１における照明器具８００の外観を示す斜視図。
【図２】実施の形態１における放電灯点灯装置８１０の機能ブロックの構成を示すブロック構成図。
【図３】一般的な電解コンデンサの外観を示す斜視図。
【図４】一般的なプリント配線板１１０を示す斜視図。
【図５】実施の形態１における吸収材３００を示す斜視図。
【図６】実施の形態１における電気回路１００の一部を示す破断斜視図。
【図７】実施の形態１における電気回路１００において、電解コンデンサ２００の安全弁２０１が動作する様子を示す破断斜視図。
【図８】実施の形態２における電解コンデンサ２００をプリント配線板１１０に実装した様子を示す斜視図。
【図９】実施の形態２における吸収材３００を示す斜視図。
【図１０】実施の形態２における電気回路１００の一部を示す破断斜視図。
【図１１】実施の形態３における放電灯点灯装置８１０の内部を示す分解斜視図。
【図１２】実施の形態３における吸収材３００を示す斜視図。
【図１３】実施の形態３における放電灯点灯装置８１０を示す破断斜視図。
【図１４】実施の形態４における放電灯点灯装置８１０の外観を示す斜視図。
【図１５】実施の形態４における放電灯点灯装置８１０の内部を示す破断斜視図。
【図１６】実施の形態５におけるケース４００の外観を示す斜視図。
【図１７】実施の形態５における電気回路１００の一部を示す破断斜視図。
【図１８】実施の形態５における放電灯点灯装置８１０の回路構成の一部を示す電気回路図。
【図１９】実施の形態６におけるケース４００の外観を示す斜視図。
【図２０】実施の形態６における電気回路１００の一部を示す破断斜視図。
【符号の説明】
【００６７】
１００  電気回路、１１０  プリント配線板、１１１  実装面、１１２  貫通穴、２００  電解コンデンサ、２０１  安全弁、２０２  陽極端子、２０３  陰極端子、３００  吸収材、３１１〜３１３，４０１，４０２  開口部、４００  ケース、４１０  固定端子、４１５  爪状突起、４２１，４２２  リード線、４３１，４３２  電極、８００  照明器具、８０１  ランプソケット、８１０  放電灯点灯装置、８１１  電流遮断回路、８１２  整流回路、８１３  直流電圧回路、８１４  インバータ回路、８１５  負荷回路、８２０  ケース、８２１  左側面、８２２  右側面、８２３  底面、８２４  上面、８３０  スイッチ、ＡＣ  交流電源、ＤＢ  ダイオードブリッジ、Ｆ１１  ヒューズ、ＬＡ  放電灯。
【図１】
2009177001.tif 000003
【図２】
2009177001.tif 000004
【図３】
2009177001.tif 000005
【図４】
2009177001.tif 000006
【図５】
2009177001.tif 000007
【図６】
2009177001.tif 000008
【図７】
2009177001.tif 000009
【図８】
2009177001.tif 000010
【図９】
2009177001.tif 000011
【図１０】
2009177001.tif 000012
【図１１】
2009177001.tif 000013
【図１２】
2009177001.tif 000014
【図１３】
2009177001.tif 000015
【図１４】
2009177001.tif 000016
【図１５】
2009177001.tif 000017
【図１６】
2009177001.tif 000018
【図１７】
2009177001.tif 000019
【図１８】
2009177001.tif 000020
【図１９】
2009177001.tif 000021
【図２０】
2009177001.tif 000022